(57)【要約】【課題】家屋でのアレルゲン発生源となり、住居内に寄生するダニ類等を誰でも自分の眼で確認することができ、我が家のダニ等の検査を簡単に行えて、ダニ退治等をすることにある。【解決方法】ダニ等を誘引する誘引用シート２に誘引したダニ等を確認するための透視状の観察部４を設けてダニ等を誘引用シート２に誘引し、観察部４でダニ等の確認ができたら誘引したダニ等を死滅させる殺虫剤を付着した殺虫用シート２または粘着用シートを挿着してダニ等を死滅させるようにしているもので、ダニ等を誘引するために誘引剤を塗布または含浸した誘引用シート２の上面側にダニ等が侵入しやすい布材や不織布等のカバーシート５を重ね合わせ、このカバーシート５の一部にダニ等を確認するための透明なフィルムの観察部４を設けるとともに、誘引用シート２の下面側にベースシート５を重ね合わせてベースシート５にスリット６やポケット口等を設けて殺虫用シート７や粘着用シートを挿着するように形成している。【選択図】        図１
2004215577.tif 000002
【特許請求の範囲】
【請求項１】
ダニ等の害虫を誘引する誘引用シートに誘引したダニ等の害虫を確認するための透視状等の観察部を設けるとともに、誘引したダニ等の害虫を死滅させる殺虫剤を付着した殺虫用シートまたは粘着用シートを配設するように形成したことを特徴とするダニ等の害虫の観察捕獲具。
【請求項２】
ダニ等の害虫を誘引するための誘引剤を塗布または付着した誘引用シートの上面側にダニ等が侵入しやすい布材や不織布等のカバーシートを配設し、このカバーシートの一部にダニ等を確認するための透視状の観察部を設けるとともに、誘引用シートの下面側にベースシートを重ね合わせてベースシートにスリットまたはポケット口等を設けて殺虫用シートまたは粘着用シートを挿着するように形成した請求項１に記載のダニ等の害虫の捕獲具。
【請求項３】
ダニ等の害虫を誘引するための誘引剤を塗布または付着した誘引用シートの上面側にダニ等が侵入しやすい布材や不織布等のカバーシートを配設し、このカバーシートの一部にダニ等を確認するための透視状の観察部を設けるとともに、誘引用シートの下面側にダニ等の害虫を誘引して死滅させる誘引殺虫剤を付着した誘引殺虫用シートを粘着剤やテープ等で取着するように形成した請求項１に記載のダニ等の害虫の捕獲具。
【請求項４】
ダニ等の害虫を誘引する誘引用シートに誘引したダニ等の害虫を確認するための透視状等の観察部を設けてダニ等の害虫を誘引用シートに誘引し、
観察部でダニ等の害虫の確認ができたら、誘引したダニ等の害虫を死滅させる殺虫剤を付着した殺虫用シートまたは粘着用シートを挿着もしくは取着してダニ等の害虫を死滅させるようにすることを特徴とするダニ等の害虫の捕獲方法。
【請求項５】
誘引用シートの下面側にベースシートを配設してベースシートにスリットまたはポケット口等を設けて殺虫用シートまたは粘着用シートを挿着する請求項４に記載のダニ等の害虫の捕獲方法。
【請求項６】
誘引用シートの下面側にダニ等の害虫を誘引して死滅させる誘引殺虫剤を付着した誘引殺虫用シートを粘着剤やテープ等で取着する請求項４に記載のダニ等の害虫の捕獲方法。
【発明の詳細な説明】
【０００１】
【発明が属する技術分野】
本発明は、衛生分野における寄生虫駆除対象のダニ等が見れて退治することができるダニ等の捕獲器およびその捕獲方法に関するものである。
【０００２】
【従来の技術】
近年の住宅環境から、屋内のカーペット、畳、布団、べッド、じゅうたん、自動車のシート等の人が住むどんな場所にもダニが繁殖し、それらがアトピー性皮膚炎、気管支喘息等を誘引する原因であることがきわめて濃厚と考えられている。
【０００３】
そしてまた、生活様式がサッシュ等の洋式化するにつれてダニが生息するのに好都合な環境が作り出され、ダニの繁殖を助長しているとも考えられ、人体に害を及ぼすダニ汚染が年々深刻になってきている。
【０００４】
そのため、ダニの駆除方法として、石油製品の化学物質を混合した殺ダニ剤を散布してダニを殺すことが提案されているが、従来の殺ダニ剤は毒性の強いもので、この薬剤を散布してダニを殺すことは居住環境の汚染という副作用をともなうとともに、子供や赤ん坊に悪影響がある。また、寝具類などに使用できず、ダニ類の一番多くすむところが野放し状態であった。
【０００５】
そこで、本発明者は、綿やメリヤス地、布地等のマット状やシート状の捕獲器にダニ誘引捕獲剤を配設してダニを捕獲するダニ誘引捕獲器を開発して市場に提供した結果、居住環境の汚染をともなうことなく、ダニが近寄りやすい状態にでき、多種類のダニ類を多数誘引して捕獲することができた。特に、ダニ誘引剤が毒性のない殺ダニ物質とすることによって、ダニ類の死骸、糞などによるアレルゲンの源を住居環境を害さずに消滅することができるものであった。
【０００６】
【発明が解決しようとする課題】
しかし、ダニ捕獲器でアレルギー源の多種類、多数のダニを捕獲できたといっても、ダニはミクロン程度の微小なものなので、肉眼で確認することが難しく、自分の住居にも本当にダニがいるのか、どんなダニがいるのか、捕獲したダニを一度でも自分の眼で見たいという要望が多数寄せられるものであった。また、その他の微生物の害虫も捕獲でき、住居にいるこれらの微生物の害虫も確認して捕獲することが望まれている。
【０００７】
なお、先行技術文献としては、特許第３２０５７３６号公報、実開平３−４８４７４号公報などが知られているが、これらは主としてダニを捕獲するものである。
【０００８】
【課題を解決するための手段】
本発明は、上記のような点に鑑みたもので、上記の課題を解決するために、ダニ等の害虫を誘引する誘引用シートに誘引したダニ等の害虫を確認するための透視状等の観察部を設けるとともに、誘引したダニ等の害虫を死滅させる殺虫剤を付着した殺虫用シートまたは粘着用シートを配設するように形成したことを特徴とするダニ等の害虫の観察捕獲具を提供するものである。
【０００９】
また、ダニ等の害虫を誘引する誘引用シートに誘引したダニ等の害虫を確認するための透視状等の観察部を設けてダニ等の害虫を誘引用シートに誘引し、観察部でダニ等の害虫の確認ができたら、誘引したダニ等の害虫を死滅させる殺虫剤を付着した殺虫用シートまたは粘着用シートを挿着もしくは取着してダニ等の害虫を死滅させるようにすることを特徴とするダニ等の害虫の捕獲方法を提供するにある。
【００１０】
【発明の実施の形態】
本発明のダニ等の害虫の観察捕獲具およびその捕獲方法は、ダニ等の害虫を誘引する誘引用シートに誘引したダニ等の害虫を確認するための透視状等の観察部を設けてダニ等の害虫を誘引用シートに誘引し、観察部でダニ等の害虫の確認ができたら、誘引したダニ等の害虫を死滅させる殺虫剤を付着した殺虫用シートまたは粘着用シートを挿着もしくは取着してダニ等の害虫を死滅させるようにすることを特徴としている。
【００１１】
ダニ等の捕獲器１は、図１〜図３のように誘引剤を塗布または含浸したりして付着した誘引用シート２にダニ等が侵入しやすい布材や不織布等のカバーシート３を重ね合わせて配設し、このカバーシート３の一部にダニ等を確認するための透視状等の観察部４を１ないし複数個所設け、誘引剤で誘引して観察部４に侵入してきたダニ等をルーペ、顕微鏡を介して肉眼で見れるようにしている。
【００１２】
そしてまた、上記誘引用シート２の下側にベースシート５を図１（ｂ）のように重ね合わせて配設し、図３のようにベースシート５の端部側や中央部、その他の適宜の位置にスリット６やポケット口等を開口したり、配設して殺虫剤を塗布または含浸した殺虫用シート７や粘着性シートを図４のように誘引用シート２とベースシート５との間に交換可能等に挿入して配設するようにしている。
【００１３】
上記した誘引用シート２としては、図２のように１５ｃｍ×２５ｃｍ〜２５ｃｍ×３５ｃｍの大きさの矩形状や円形状に和紙、不織布、綿生地等の布地、樹脂ネット、ゴムネット、その他の通気性を有するもの、ダニ等の害虫が侵入して移動可能なもので形成でき、この誘引用シート２にダニ等の害虫の誘引剤を噴霧したり、塗布したり、含浸したりして、付着してダニ等の害虫を誘引するようにできる。
【００１４】
上記した誘引剤としては、毒性のない臭香性誘引物質、たとえば動物性油脂や植物性油脂、これらの脂肪酸等のエステルを単独または適宜組み合わせてダニ等の害虫を誘引するようにでき、また毒性のない食餌性誘引物質、たとえばビール等の乾燥酵母等の食品フレーバ、ビスケット、穀物パウダー、米麹、繊維くずを単独または組み合わせることができ、その他に毒性のないフェロモン物質やその他の誘引物質を添加し、より多くの種類のダニ類や、ヒメカツオブシ、イガ、コイガ等の繊維害虫、蟻形蜂等の害虫を誘引して集めるようにできる。
【００１５】
また、カバーシート３としては、図１（ａ）、（ｂ）のように矩形状や円形状にでき、上記の誘引用シート２と同じような和紙、不織布、綿生地等の布地、樹脂ネット、ゴムネット、その他の通気性を有するもの、誘引するダニ等が侵入して移動可能なもので形成できる。
【００１６】
そして、図１（ａ）、（ｂ）のようにカバーシート３の中央部や側部に透明な合成樹脂のフィルム、シート、場合によりガラスシート等の観察部４をその両側や周辺を縫着したり、接着して配設し、誘引用シート２に誘引して上記観察部４に侵入してきたダニ等の害虫を２０〜５０倍位の所定倍率のルーペ等を介して肉眼で見れるようにしている。必要により、ベースシート５側にも観察部４を設けて、表裏の両面側から観察するようにできる。
【００１７】
上記透視状の視察部４としては、図１のようにカバーシート３の中央部や両側部、その他の適宜の個所に矩形状や円形状の透明窓状として１ないし複数個設けることができるものであり、その下の誘引用シート２は白色や透明色に近いダニ等を見えやすいようにダニ等の害虫の体色と反対色の黒色、茶色、紺色等とするのが好ましい。
【００１８】
また、ベースシート５としては、紙、布生地、不織布、樹脂など適宜なシートやマットなどが利用できる。特に、図３、図４のようにベースシート５の端部や、中央部や周辺部に殺虫用シート７を挿入可能に５０〜２００ｍｍ程の長さにわたって直線状やＬ字状等、コ字状等に開口したスリット６やポケット口６ａ等から挿入して装着するようにしている。
【００１９】
この殺虫用シート７としては、図５のようにカバーシート３やベースシート５とほぼ同じ大きさのものや、５０ｍｍ×５０ｍｍ〜２００ｍｍ×２００ｍｍ程の大きさとして、和紙、不織布、脱脂綿、綿生地等の布地、樹脂ネット、ゴムネット、その他の通気性を有するもの、ダニ等の害虫が侵入して移動可能なもので形成でき、毒性のない殺虫物質等を上記のものに配合してダニ等の害虫を捕獲して死滅させるようにするすることができ、たとえばシリカゲル、活性炭、沸石、塩化カルシウムなどの多孔質物質、水分吸着物質、吸着熱発生物質や、エムペントリン、テフラメリン、ナフタリン等の殺虫物質を単独またはこれらを適宜組み合わせて使用できる。
【００２０】
また、殺虫用シート７は、誘引用シート２で誘引したダニ等の害虫を透視状の観察部４で確認ができたら、上記したベースシート５のスリット６等から挿入して図４のように誘引用シート２とベースシート５との間に装着してダニ等の害虫を死滅させるようにするのが好ましいものである。
【００２１】
なお、必要により透視状の観察部４で確認したダニ等の害虫の種類に対応して、これらに対処したダニ殺虫剤、繊維害虫殺虫剤等の殺虫用シート７を選んで装着するようにもできるものである。
【００２２】
上記では、捕獲器１のシートを三層構造のものとしたが、下層のシート材に替え、または図６のように重ね合わせて粘着シート８を配設して潜入するダニ等を粘着して捕獲するようにもでき、図７のように上記した誘引用シート２の下面側に粘着テープや粘着剤、ベルベットファスナー、ホック、金口などの係止手段を介して誘引兼殺虫用シート７を取着するなど本発明の趣旨にもとづいて適宜な変形態様を実施することができる。
【００２３】
また、図８（ａ）のように紙シート等のベースシート５の一部に侵入口１０および誘引用シート２の装着口１１を開口して黒色等のシート１２を貼着し、その上面に観察部４を兼ねる透明なプラスチックシート１３を被覆して形成することもできる。１４は誘引用シート２の装着カバーである。そして、ダニ等が確認できると、図８（ｂ）のようにベースシート５の下面側に粘着テープ等を介して誘引兼殺虫用シート７や粘着シート８を取着して捕獲するようにできる。
【００２４】
【実施例】
図１〜図５は、本発明の一実施例を示すもので、図１（ａ）、（ｂ）のようにダニ等の捕獲器１は１８ｃｍ×２５ｃｍの大きさの不織布のシート状の誘引用シート２に上記した毒性のないビール酵母、食品フレーバ等の食餌性誘引物質と植物性油脂等の臭香性誘引物質の混合剤の微粉末に黒色の着色塗料を配合して均一状に塗布し、その上面に図１（ａ）のような透明なフィルムシートの透視状の観察部４を中央部に縫着した不織布の侵入用シート３を重ね合わせて縫合している。そして、誘引用シート２の下面側に図３のような不織布のベースシート５を重ね合わせて形成している。
【００２５】
そして、この捕獲器１を家庭内のじゅうたんを敷いた隅部の掃除の行き届かないところに設置して観察した。観察にあたっては、２０倍以上のルーペや、５０倍以上のマイクロスコープ、顕微鏡などで捕獲器１の視察部５を万遍なく観察すると、微小な白い虫のような物体が動き廻っているのを観察することができる。特に、観察部５の下部の誘引用シート２を黒色としているためダニの観察がしやすいものである。また、観察部４を両面に設けることによって、ダニが下方に潜り込んでも、容易にひっくり返してダニを確認することができるものであった。
【００２６】
ダニが観察できたら、図５のように裏面側に上記誘引剤に殺ダニ剤を混合した殺虫剤を噴霧して均一状に付着し、表面側に上記誘引剤を噴霧して均一状に付着した１２ｃｍ×２０ｃｍの大きさの殺虫用シート７を図３に示しているようにベースシート５の裏面のスリット６等から挿入し、図４のように誘引用シート２の裏面側のポケット口６ａに装着して、多種類、多数のダニ等を死滅させるようにできる。
【００２７】
したがって、捕獲器１で住居内に寄生するダニ類等を誰でも自分の眼で確認することができ、我が家のダニ等の検査を簡単に行えて、ダニ退治等をすることができるものである。
【００２８】
図６は、本発明の他の実施例で、捕獲器１のベースシート５の裏面側に粘着剤を塗着した粘着シート８を被覆し、誘引したダニ類を粘着シート８にも粘着させて捕獲するようにしたものである。９は、上記ベースシート５のスリット６に合わせて開孔したスリット状開孔である。
【００２９】
以上では、透視状の観察部を透明シートを介してダニ類等を見えるようにしたが、透明シートを削除することも可能であり、またこの観察部に開閉可能にカバーを取着してダニ類等を確認するようにするなど、本発明の趣旨にもとづいて適宜に実施可能なものである。
【００３０】
また、図７のように構成した捕獲具１の誘引用シート２の下面側に、観察部４でダニ等の害虫を観察した後に誘引剤を混合した所要の殺虫用シート７を両面接着テープの粘着テープを介して誘引用シート２とほぼ全面に重ね合わせるように取着したもので、上面側の誘引用シート２と下面側の誘引・殺虫用シート７の上下両面からダニ等の害虫を誘引して死滅できるものである。
【００３１】
また、図８（ａ）のように８０ｍｍ×６０ｍｍ大きさの紙シート等のベースシート５の一部に侵入口１０および誘引用シート２の装着口１１を開口して黒色等のシート１２を貼着し、その上面に５ｍｍ高さの観察部４を兼ねる透明なプラスチックシート１３を被覆し、ダニ等が確認できるとベースシート５の下面側に粘着テープ等を介して誘引兼殺虫用シート７や粘着シート８を取着してダニ等を捕獲するようにできる。本実施例では、小型で、薄状なので、狭いところなどどこでも簡単に設置できる。
【００３２】
【発明の効果】
以上のように本発明にあっては、住居内に寄生するダニ等の害虫を誰でも自分の眼で確認することができ、我が家のダニ等の害虫の検査を簡単に行えて、ダニ退治等をすることができ、ダニ等によるアレルーゲンの源を消滅するようにできる。そして特に、誘引用シートの上面に透明シートの観察部を重ね合せるとともに、誘引したダニ等を確認しやすいようにダニ等の体色と反対色等の黒色、茶色、紺色等の誘引用シートとすることによって、誘引したダニ等を観察部を介して見やすくできる。
【００３３】
また、ダニ等の害虫を誘引するための誘引剤を塗布または付着した誘引用シートの上面側にダニ等が侵入しやすい布材や不織布等のカバーシートを配設し、このカバーシートの一部にダニ等を確認するための透視状の観察部を設けるとともに、誘引用シートの下面側にベースシートを重ね合わせてベースシートにスリットまたはポケット口等を設けて殺虫用シートまたは粘着用シートを挿着するように形成することによって、ダニ等が好む布材や不織布等のカバーシートに侵入しやすくできて誘引用シートに誘引することができ、透視状の観察部でダニ等を確認できたら殺虫用シートまたは粘着用シートを挿着できてダニ等を捕獲して死滅させることができる。このように、住居内に寄生するダニ類等を誰でも自分の眼で確認することができ、我が家のダニ等の検査を簡単に行えて、ダニ退治等をすることができて、ダニ等によるアレルーゲンの源を消滅するようにできるものである。
【００３４】
また、誘引用シートの下面側にダニ等の害虫を誘引して死滅させる誘引殺虫剤を付着した誘引殺虫用シートを粘着剤やテープ等で取着することによって、誘引・殺虫用シートを簡単に取り付けることができ、上面側の誘引用シート２と下面側の誘引・殺虫用シート７の上下両面からダニ等の害虫を誘引して死滅できるものである。
【図面の簡単な説明】
【図１】本発明の一実施例のダニ等の捕獲具の平面図（ａ）と側断面図（ｂ）、
【図２】同上の誘引用シートの平面図、
【図３】同上の捕獲具の背面図、
【図４】同上の確認後の使用状態説明用の側断面図、
【図５】同上の殺虫用シートの側断面図、
【図６】同上の他の実施例の側断面図、
【図７】同上のさらに他の実施例の側断面図、
【図８】同上のさらに他の実施例の側断面図（ａ）および確認後の使用状態説明用の側断面図（ｂ）。
【符号の説明】
１…捕獲具          ２…誘引用シート        ３…シートカバー
４…視察部          ５…ベースシート        ６…スリット
７…殺虫用シート
【図１】
2004215577.tif 000003
【図２】
2004215577.tif 000004
【図３】
2004215577.tif 000005
【図４】
2004215577.tif 000006
【図５】
2004215577.tif 000007
【図６】
2004215577.tif 000008
【図７】
2004215577.tif 000009
【図８】
2004215577.tif 000010